(57)【要約】      （修正有）【課題】同一地盤における基礎支持力の拡大を可能とする。【解決手段】１方向からの荷重（鉛直力）を分散させるために、荷重の方向に対して傾斜底盤を持った基礎を作り、その荷重をを鉛直力と水平力に分割し、それぞれに対しての応力で処理する事に依り基礎支持力の拡大を図る。【選択図】図２
2005113652.tif 000002
【特許請求の範囲】
【請求項１】
荷重方向に対し傾斜底盤を持つ基礎断面。
【請求項２】
地盤改良において傾斜底盤を持つ改良断面と支持力増大の為の組み合わせ断面。
【発明の詳細な説明】
【技術分野】
【０００１】本発明は、構築物、道路の基礎を支える支持力を軽減する基礎断面に関するものである。
【背景技術】
【０００２】  住宅建築等の様に、比較的小規模の構築物の基礎は従来一般的に、図１▲１▼の断面を有する布基礎、又は図１▲２▼の断面を有する、ベタ基礎等が用いられるがしかし地盤が軟弱であるとか、２階建て・３階建て（現在は木造３階建てまで可）等の様に荷重が増してくるとそれを支持するために、図１▲３▼の地盤改良（表層改良）や簡易支持杭等で対処している。又道路等の大規模な路盤基礎等は図１▲５▼の地盤改良とか、又は図１▲６▼の様に多量の盛土をして月日に渡る時間をかけ改良地盤を造る場合が多い。【０００３】  図１▲３▼の場合、建屋面積に対して大幅な面積の改良はコストの面から不経済であり、改良面積が小さければ改良した部分自体の不動沈下も考えられる。図１▲４▼は簡易支持杭の場合で長さに限度があり、支持基盤が軟弱であると、支持杭の機能が低下し必要本数も多くなり、コスト面でも負担が多くなる。【０００４】  又道路工事等の規模の大きい基盤造りの場合は単に図１▲５▼の様に地盤改良をして其の上に道路を造って居る現状があり、改良基盤を受ける支持基盤については何ら改良されていない現実がある。
【発明の開示】
【発明が解決しようとする課題】
【０００５】  地盤に対する１方向からの荷重を分散してその１方向に対する応力をいかに少なくし、同じ地盤でより大きい荷重を処理させられるかと言う点である。簡単に言うと１階建てまでは可能な地盤に２階建てを可能にしょうと言う点である【０００６】  又支持杭については荷重に対し従来１０本の支持抗が必要なものをいかに５本内外の本数に減らして同じ効果を挙げられるかと言う点である。【０００７】  道路工事等の基盤造りの場合地盤改良をするにしても規模が大きい為投入される資材も非常に多くなる、其の基盤にかかる荷重応力を極力小さくする事により、基盤造り費用を削減し、より強力な基盤を造ろうと言う点である。
【課題を解決するための手段】
【０００８】  本発明は、１方向図２では鉛直力（Ｎとする）からの荷重を分散させるために荷重の方向に対して傾斜角度θ°の辺ａｂから成る基礎底盤を持った基礎であることを最も主要な特徴とする。
【発明の効果】
【０００９】  本発明の基礎は図２で基礎底盤の傾斜角θ°を４５°とした場合その応力は鉛直応力と水平応力とに２分割され鉛直応力は２分の１となり鉛直荷重の２分の１の負担ですむと言う利点がある。依って１階建ての荷重を支える支持力で２階建てを支える事が出来ると言う利点がある。【０００１０】  又分割された水平力に対する水平応力を得る為に相対した基礎に地中梁を設けるとか種々の考え方が出来るが、住宅等の小規模構築物にはベタ基礎状のスラブ（図３のｂ・ｃ・ｄ・ｅ）を設ける事に依り水平応力を確定しスラブに浮力を与える結果、基礎に対しても安全側の応力として働く効果が出てくる。【０００１１】支持杭に依る基礎図３▲３▼についても荷重に対し杭負担分は鉛直荷重の２分の１となり従来１０本の支持抗が必要なところを５本内外の本数に減らして同じ効果を挙げられると言う利点がある。【０００１２】    道路工事等の基盤造りの場合地盤改良をするにしても規模が大きい為、投入される資材も非常に多くなる、図４▲１▼の基礎盤を図４▲２▼の様に連続して繋ぎあわせせる事により道路巾の必要面積を確保し、この１連の基礎盤を図４▲３▼の様に重ねることにより元地盤の耐力で何倍もの荷重も処理出来、かつ費用の削減も出来ると言う点である。
【発明を実施するための最良の形態】
【００１３】  一般的に地盤の地耐力・土質にも依るが、鉛直荷重に対しては底盤の傾斜角をθ＝４５°とした時最も効率が良く其の地盤に対し２倍の鉛直力を処理する事が出来る。依って住宅等の小規模の構築物の場合地盤改良の必要性もなく、又地盤改良を必要とする場合でもこの基礎底盤を連続させる断面図４▲２▼にする事により同じ地耐力で倍の改良地盤ができ、又この連続した底盤を図４▲３▼の様に直角に積み重ねる事に依りより大きな支持力を生むことが出来る。従来の種々の基礎底盤を作る依りも規模は小さく材工の費用から見ると大幅な経済効果を実現した。
【実施例１】
【００１４】  図３は、本発明基礎の実施例の断面図であり、図３▲１▼は布基礎・独立基礎断面で軸力Ｎに対し傾斜角θ＝４５°の辺ａｂ及び辺ａｂ’の基礎底盤を持つ基礎断面である。
【実施例２】
【００１５】  図３▲２▼は傾斜角θ＝４５°の辺ａｂの底盤を持つ基礎断面であり、土留め上に工作物を作る場合など土留め壁に上部工作物の荷重による影響を与えない様に出来ている。この場合水平応力は地中梁ｂｃｄｅに依って応ずるか又はｂｃｄｅなる土間コンに依ればべた基礎としての効力が非常に高くなる。
【実施例３】
【００１６】  図３▲３▼は支持抗で荷重Ｎを処理する図であるが底盤をθ＝４５°とした時、水平応力を地球梁ｂｃｄｅで負担すれば、抗の負担支持応力は２分の１で済み抗の必要本数は半分で済む。
【実施例４】
【０００１８】  図４▲２▼の様に図４▲１▼の辺ｂａｂ’から成る断面を連結し其の中を改良地盤にすれば支持応力は倍化し大規模面積の地盤改良が成される。又図４▲３▼は図４▲２▼を直角に２層重ねることに依り元地盤の支持応力は４倍の効力を持つことになる。２層目の構成は２通りあり図４▲４▼については１層目の改良地盤ｂと同質のｃを基盤としてｄの改良地盤を構成する。この場合のｂ又は、ｃは元地盤αの地耐力の２倍強の圧力に耐うればよい。図４▲５▼については改良地盤ｂの上に基礎底盤ｓｌをθ＝４５°で組み合わせその上にｄの改良地盤を構成する。この場合できるｅの空間は配管等のスペースとして利用出来、図４▲４▼に図４▲５▼の１部を組み込むと図４▲６▼の配管スペースのある改良地盤となる。
【産業上の利用可能性】
【０００１９】  小規模構築物（住宅建築）から土木の基礎工事に至るまで安易に施工出来、道路等の基盤造成工事には工期が短縮され現状の工事費用を考える時、格段の経済性が見込める。
【図面の簡単な説明】
【０００２０】
【図１】▲１▼，▲２▼，▲３▼，▲４▼，▲５▼，▲６▼従来の一般的基礎断面図。
【図２】この発明の基本説明図。
【図３】住宅等の小規模基礎の応用実例図。▲１▼  布基礎及び独立基礎の断面図。▲２▼  土留め内に造る基礎の断面図。▲３▼  抗打ち基礎の断面図。
【図４】地盤改良の応用実例図。▲１▼  基本断面図。▲２▼  大規模地盤改良の応用実例図。▲３▼  大きい支持基盤を得る為の応用実例図。▲４▼  組み合わせ基盤断面図。▲５▼  組み合わせ基盤断面図。▲６▼  組み合わせ基盤断面図。
【符号の説明】
ａ，ｂ，ｂ’，ｃ，ｄ，ｅ，ｆ    断面を表現する為の記号。
α    地盤（基地盤）。
ｂ    改良地盤。
ｃ    ２層目を構成する為の基盤。
ｄ    組み合わせ改良地盤。
ｅ    基礎底盤を組み合わせる事に依って出来る空間。
ｆ    道路盤
ｓｌ  基礎底盤。
ｇ    配管
【図１】
2005113652.tif 000003
【図２】
2005113652.tif 000004
【図３】
2005113652.tif 000005
【図４】
2005113652.tif 000006